Podtech/llm-jp-corpus-v4-ja_patent huggingface dataset:
(57)【要約】      （修正有）【課題】足の裏を按摩することができ、掃除機に対する興味を駆り立てる掃除機のホースを提供する。【解決手段】掃除機のホース１の任意の位置に足の裏を按摩するための突起２を設ける。掃除機のホース１の横断面を円以外の形にして足の裏を按摩できるようにする。掃除機のホース１の表面に絵を描いたり色分けをすることにより、掃除機に対する興味を駆り立てる。【選択図】図１
0003198081.tif 000002
【実用新案登録請求の範囲】
【請求項１】
掃除機のホースにおいて、任意の位置に足の裏を按摩するための突起を設けたことを特徴とする掃除機のホース
【請求項２】
掃除機のホースにおいて、横断面が円以外の形になるようにしたことを特徴とする掃除機のホース
【請求項３】
掃除機のホースにおいて、絵を描いたりなど色分けしたことを特徴とする掃除機のホース
【考案の詳細な説明】
【技術分野】
【０００１】掃除機のホースにおいて、任意の位置に足の裏を按摩するための突起を設けたり、ホースの横断面を三角やその他の形にして足の裏を按摩できるように考案したものである。【０００２】掃除機のホースにおいて、表面に絵を描いたり色分けすることにより、掃除機に対する興味を駆り立てるように考案したものである。
【背景技術】
【０００３】従来は、足の裏を按摩する物は多種あったが、掃除機のホースを利用した足の裏を按摩する物はなかった。【０００４】従来は、掃除機のホースの表面は単色であり、絵を描いたり色分けした物はなかった。
【先行技術文献】
【考案の概要】
【考案が解決しようとする課題】
【０００５】掃除機のホースを利用して足の裏を按摩することができるようにする。【０００６】掃除機のホースの表面に絵を描いたり色分けをすることにより、掃除機に対する興味を駆り立てるようにする。
【課題を解決するための手段】
【０００７】課題を解決するための手段の例を次に示す。【０００８】掃除機のホースの任意の位置に足の裏を按摩するための突起を設ける。【０００９】掃除機のホースの横断面を三角やその他の形にして足の裏を按摩できるようにする。【００１０】掃除機のホースの表面に絵を描いたり色分けをすることにより、掃除機に対する興味を駆り立てるようにする。
【考案の効果】
【００１１】掃除機のホースを利用して足の裏を按摩することができるため、余分な装置を必要とせず、掃除機を使用するたびに足の裏を按摩することができて便利である。【００１２】掃除機のホースの表面の模様で掃除機に対する興味を駆り立てることができる。
【図面の簡単な説明】
【００１３】
【図１】掃除機のホースの任意の位置に、足の裏を按摩するための突起を設けた例の斜視図である。
【図２】掃除機のホースの横断面をほぼ三角にした断面図である。
【図３】掃除機のホースの横断面をほぼ半円形にした断面図である。
【考案を実施するための最良の形態】
【００１４】掃除機のホースの任意の位置に足の裏を按摩するための突起を設けた場合、その部分を丈夫にして普通の大人が踏んでも凹まないようにする。【００１５】掃除機のホースの横断面を三角やそれ以外の形にした場合、足の裏を按摩することができるようにした場合はその部分を丈夫にして普通の大人が踏んでも凹まないようにする。【００１６】掃除機のホースの表面に絵を描いたり色分けをする場合、色を派手にする。
【産業上の利用可能性】
【００１７】構造が単純なため、低コストで量産しやすい。
【符号の説明】
【００１８】１  掃除機のホース
２  足の裏按摩用突起
【図１】
0003198081.tif 000003
【図２】
0003198081.tif 000004
【図３】
0003198081.tif 000005
【手続補正書】
【提出日】平成27年3月17日(2015.3.17)
【手続補正１】
【補正対象書類名】実用新案登録請求の範囲
【補正対象項目名】請求項２
【補正方法】変更
【補正の内容】
【請求項２】
掃除機のホースにおいて、横断面が円以外の形になるようにしたことを特徴とする請求項１記載の掃除機のホース
【手続補正２】
【補正対象書類名】実用新案登録請求の範囲
【補正対象項目名】請求項３
【補正方法】変更
【補正の内容】
【請求項３】
掃除機のホースにおいて、絵を描いたりなど色分けしたことを特徴とする請求項１記載の掃除機のホース
(57)【要約】      （修正有）【課題】汚れの付着や乾燥収縮を防ぎ、ひび割れを防ぎ、水密性の向上が図れる、建築物の屋根や内外装に使用される琉球漆喰製品を提供する。【解決手段】琉球漆喰に石炭灰を混合し、一定形状の型枠に入れ、乾燥させたのち、型枠から外した琉球漆喰製品であって、混合比が５〜５０％を特徴とする自在に成型することができ、建築用タイルとしての製造が可能になる。【選択図】図１
0003198084.tif 000002
【実用新案登録請求の範囲】
【請求項１】
石炭灰を混合することを特徴とする琉球漆喰製品。
【請求項２】
混合比が５〜５０％を特徴とする請求項１記載の琉球漆喰製品。
【請求項３】
石炭灰を混合することを特徴とする琉球漆喰製品を使用した建築用タイル。
【考案の詳細な説明】
【技術分野】
【０００１】  本考案は建築物の屋根や内外装に使用される琉球漆喰製品に関するものである。
【背景技術】
【０００２】  琉球漆喰は藁と生石灰を混合したものに水を加え、生石灰に消化加熱反応を起こさせることで藁を馴染ませ、さらにそれをすり潰し熟成させたものである。
日本国内では沖縄のみに存在する独特の製法でつくられる。練り状の製品のみ存在し、主に琉球屋根瓦工事で使用されている。【０００３】  天然の火山灰や人工のポゾランである石炭灰（フライアッシュ、クリンカアッシュなど）にはそれ自体には水硬性はないが、可溶性の二酸化珪素を含み、石灰に含まれる水酸化カルシウムと常温で徐々に化合して、不溶性の安定的な珪酸カルシウム水和物を生成する。これらの反応を総称してポゾラン反応と呼び、強度と耐久性が向上する。
【先行技術文献】
【特許文献】
【０００４】
【特許文献１】特開２００４−２４４２２７号公報
【非特許文献】
【０００５】
【非特許文献１】「ＣｆＦＡコンクリートの耐久性に関する研究」日本建築学会九州支部研究報告第４９号  ２０１０年３月
【考案の概要】
【考案が解決しようとする課題】
【０００５】  琉球瓦の施工用に使用される場合が多く、二酸化炭素を吸着しながら固化する。いわゆる気硬性の素材であるため、施工後の水分乾燥以降において、長い歳月をかけて硬化していく特性があるため、長期間の工期を要するという問題がある。また乾燥収縮が大きく、時間の経過に伴い、ひび割れを起こす問題がある。その結果、屋根材などで使用する場合、水漏れが発生する問題もある。加えて汚れの付着などの問題点がある。【０００６】  現在練り状の製品のみ存在し原料を現場で調整し施工するため、使用に関しては、経験と熟練技術が必要とする問題がある。また大量生産が難しく、製品の移動、保管が難しいという問題点がある。
【課題を解決するための手段】
【０００７】  本考案は前記課題を解決するために鋭意研究した結果、琉球漆喰製品の特殊な性質を発見し、核性質を利用した特殊な配合と板状体を製造して使用すれば、上記諸問題を解決し得ることを見出し、本考案を完成した。
以下、本考案の要旨を述べる。【０００８】  第１の考案は石炭灰を混合することを特徴とする琉球漆喰製品に関する。【０００９】  第２の考案は混合比が５〜５０％を特徴とする前記第１考案の琉球漆喰製品に関する。【００１０】  第３の考案は石炭灰を混合することを特徴とする琉球漆喰製品を使用した建築用タイルに関する。
【考案の効果】
【００１１】  従来の琉球漆喰製品に石炭灰を混合することで、ポゾラン反応が起こる。具体的には琉球漆喰製品に石炭灰をある一定量加えることで、石炭灰に含まれている可溶性の二酸化珪素が石灰に含まれる水酸化カルシウムと常温で徐々に化合して、不溶性の安定的な珪酸カルシウム水和物を生成する。この反応により琉球漆喰製品の組織が密実な水和組織を形成するため、強度と耐久性を向上させる効果を発揮する。また乾燥収縮を防ぎ、ひび割れを防ぐ効果を発揮する。そして水密性の向上が図られ水漏れを防ぐ効果を発揮する。また汚れの付着を防ぐ効果を発揮する。性能としては、一般的な琉球漆喰製品同様、湿度調節、防カビ作用、不燃防火、消臭、吸音、有害物質吸着分解、保温断熱などの効果を発揮する。【００１２】  琉球漆喰製品を大きさ、厚みなど自在に成型することができ、建築用タイルとして製造が可能となるため、短期間での施工が可能となる効果を発揮する。また、熟練した技術や経験を必要としない効果を発揮する。その他大量生産が可能となり、移動や保管が容易になるなどの効果を発揮する。
【図面の簡単な説明】
【００１３】
【図１】第３の考案に係る製造工程図
【図２】第３の考案に係る琉球漆喰製品を使用した建築用タイルの一例の斜視図
【図３】第３の考案に係る琉球漆喰製品を使用した建築用タイルの施工一例
【考案を実施するための形態】
【００１４】  以下、図面を用いて本考案の実施例の説明をし、同時に考案を実施するための形態について詳細に説明をする。
本製品の製造方法は、図１の製造工程図にあるとおり石炭灰を混合した琉球漆喰製品を、必要とする形状やサイズの型枠に入れる。２〜３日後、水分を乾燥させたのち、型枠から外す、適当な強度が発現するまで室内で乾燥させ完成する。
【００１５】  図２の例のとおり、製品化した琉球漆喰を使用した建築用タイルを、図３のとおりに建物の壁や天井など躯体に対して、内装用や外装材として貼り付ける。その接着は琉球漆喰や市販の接着剤などを使用する。
【００１６】  本考案において使用される建築用タイルとは、板状等の形態の製品を指し、形やサイズなどを限定されるものではない。また、その製品は建築用のみに使用することを限定するものではない。
【００１７】  本考案において使用される建築用タイルにおいて、琉球漆喰の性能を加えることにより、補完する素材例えば、炭製品や植物の葉など湿度調節、防カビ作用、不燃防火、消臭、吸音、有害物質吸着分解、保温断熱など効果が認められる素材を使用してもよい。
【産業上の利用可能性】
【００１８】  以上詳説して開示した、本考案に係る琉球漆喰製品および琉球漆喰を使用した、建築用タイルの製造または使用により、琉球漆喰製品における従来の問題点がほとんど解決し、新たな工場生産や大量生産、品質の安定化など、琉球漆喰製品産業が変化するものと考えられる。また、製品の普及により漆喰による、二酸化炭素の削減と石炭灰の有効利用により廃棄物の削減が見込まれる。
【符号の説明】
【００１９】１・・・・・・琉球漆喰製品を使用した建築用タイル
２・・・・・・躯体
３・・・・・・接着剤
【図１】
0003198084.tif 000003
【図２】
0003198084.tif 000004
【図３】
0003198084.tif 000005
【手続補正書】
【提出日】平成27年3月16日(2015.3.16)
【手続補正１】
【補正対象書類名】実用新案登録請求の範囲
【補正対象項目名】全文
【補正方法】変更
【補正の内容】
【実用新案登録請求の範囲】
【請求項１】
琉球漆喰に石炭灰を混合し、一定形状の型枠に入れ、乾燥させたのち、型枠から外した琉球漆喰製品。
【請求項２】
混合比が５〜５０％を特徴とする請求項１記載の琉球漆喰製品。
【請求項３】
石炭灰を混合することを特徴とする琉球漆喰製品を使用した建築用タイル。
(57)【要約】      （修正有）【課題】ルアーフィッシングにおいて、魚の掛かりを損なう事なく障害物への引っ掛かりを回避できるハードルアーガードを提供する。【解決手段】Ｖの字に曲げた細いワイヤー３を熱可塑性樹脂に埋め込み、裏側の平らな面に両面テープを貼る。使用する際には、両面テープのフィルムを剥がし、ハードルアー１の前方の針の前に貼り付ける。ハードルアーを泳がせて障害物を通過する時には、ワイヤーが障害物に当たり、針は障害物に引っ掛からない。魚がハードルアーに食い付いた時は、針掛かりは損なわれる事なく、もし魚がワイヤー部分に触れた場合でも、ワイヤーが曲がり針掛かりには影響しない。【選択図】図２
0003198089.tif 000002
【実用新案登録請求の範囲】
【請求項１】
市販のハードルアー本体に取り付け、ルアーの性能、魚の掛かりを損なう事なく根掛かりのみを回避するハードルアーガード。
【考案の詳細な説明】
【技術分野】
【０００１】  本考案は、釣りで用いるハードルアーを水中の障害物に容易に引っ掛からないようにするためのものである。
【背景技術】
【０００２】  市販のハードルアーに容易に取り付ける事が出来、取り外しが可能で、水中の障害物に針が引っ掛からないようにする。
【考案の概要】
【考案が解決しようとする課題】
【０００３】  ルアーフィッシングで用いられるハードルアーは、魚がルアーに食いついたりルアーに魚の口が触れた時、容易に針が魚の口に掛かるように、針はむき出しになっている。その為、障害物のある所では針が障害物に引っ掛かる事が頻繁に起こっている。本考案は、ハードルアーに容易に取り付ける事が出来、取り外しが可能で、ハードルアーの性能や魚の掛かりを損なう事なく障害物への引っ掛かりのみを回避するものである。
【課題を解決するための手段】
【０００４】  細いワイヤーをＶの字に曲げ、ワイヤーを熱可塑性樹脂に埋め込み、裏側の平らな面に両面テープを貼る。この時、両面テープは熱可塑性樹脂の接着面より大きくして弾力性のある両面テープを用いる。使用する際には、両面テープのフィルムを剥がし、ハードルアーの前方の針の前に貼り付ける。弾力性の両面テープで接着している熱可塑性樹脂部分より両面テープの方が広い為、ハードルアーの曲面に対しても隙間なくきっちりと貼れる。この時、ハードルアーを前方から見るとワイヤーは逆Ｖの字になっている。ハードルアーが前方に泳いで障害物を通過する時にはワイヤーが障害物に当たり、針は障害物に触れない様にセットする。魚がハードルアーに食い付いた時は、針掛かりは損なわれる事なく、もし魚がワイヤー部分に触れた場合でも、ワイヤーが曲がり針掛かりには影響しない。
【考案の効果】
【０００５】  市販のハードルアーに容易に取り付ける事が出来、市販のハードルアーの性能を変えることなく、障害物に対しての引っ掛かりのみを回避する事が出来る。また、用途に応じて簡単に取り外しが可能である。
【図面の簡単な説明】
【図１】図１は、ガード付きハードルアーのガードの部分を示している。（１）は平面図で、（２）は側面図である。（１）の１は両面テープ、（１）の２は熱可塑性樹脂、（２）の３はステンレスの針金で、ガードはこれらの３つの部分で構成されている。
【図２】図２は、ガード付きハードルアーの見取り図である。１はハードルアー本体で、２はリップ、３はガードの部分である。
【図１】
0003198089.tif 000003
【図２】
0003198089.tif 000004
【手続補正書】
【提出日】平成27年3月18日(2015.3.18)
【手続補正１】
【補正対象書類名】実用新案登録請求の範囲
【補正対象項目名】全文
【補正方法】変更
【補正の内容】
【実用新案登録請求の範囲】
【請求項１】
本考案は、Ｖの字に曲げた細いワイヤーを熱可塑性樹脂に埋め込み、裏側に両面テープを貼り、両面テープのフィルムを剥がし、ハードルアー本体の針の前方に張り付けて使用するとＶの字のワイヤーが障害物に当たり、針は障害物に引っ掛からない仕組みのハードルアーガード。
(57)【要約】      （修正有）【課題】雪道や凍結した路上で滑べって転ぶ事故や怪我を防止する為の靴用滑り止めヘチマシートを提供する。【解決手段】紳士靴、婦人靴、子供靴、スノーシューズの履物から選択される靴本体の靴底に当接する様に所定の位置に面ファスナー４、５及び／又はベルト状の紐により着脱可能に装着する滑り止めシートであって、該シートはスポンジ状に加工したヘチマをシート状に形成した事を特徴とする。【選択図】図２
0003198082.tif 000002
【実用新案登録請求の範囲】
【請求項１】
紳士靴、婦人靴、子供靴及びトレナー靴から選択される靴本体の靴底本体にヘチマをシート状に形成した滑り止め部材を設け雪道や凍結した路で滑って転んで事故や怪我など防止の為の靴用滑り止め部材
【請求項２】
ヘチマをシート状に加工して靴底に装着する事で、より滑り止めとした請求項１記載の靴用滑り止め部材は靴から外れない様に、一番路面接着するところから靴のかかとまで装着する様にした又は靴用滑り止め部材
【考案の詳細な説明】
【技術分野】靴が雪道や凍結でも滑らないための靴用滑り止部材に関する
【背景技術】一般的に市販されている靴底に加工した波状または、丸状の靴底の構造は２重〜３重の滑り形状であるが滑べって転んで怪我などおこして実用的でない
【考案が解決しようとする課題】
この考案はヘチマをスポンジ状に加工した物をシート状に形成し、これを紳士靴  婦人靴  子供靴等履物の靴底に対して面ファスナーを利用して２ケ所で止め、靴の履物から外れないように取り付ける事ができる様にした  靴用滑り止部材とする
【考案が解決するための手段】
靴底の滑り止めを靴に対して面ファスナーで止め、靴のかかとの方は、滑り止を足首に一回りだけのベルト状が紐で固定する様にした靴用滑り止部材
【考案の効果】
ヘチマは植物繊維であり、ある程度砕いて靴底に貼り付け滑り止部材とすれば、もっと効果的である
この考案はヘチマをスポンジ状に加工した物をシート状に形成し、これを紳士靴、婦人靴、子供靴等の履物の靴に対し面ファスナーを利用して、２ケ所で止め靴から外れない様にした靴用滑り止め部材とした
また、必要でない時は、簡単に履物から取り外しカバンやバックに入れてコンパクトに持ち運びできる、
【図面の簡単な説明】
【図１】第一の実施形態の滑り止め防止部材を示す底面図
【図２】第一の実施形態の滑り止め防止部材の装着状態を示す斜面図
【図３】第二の実施形態の滑り止め防止部材の装着状態を示す側面図
【図４】第二の実施形態の滑り止め防止部材の装着状態を示す平面図
【図５】第一の実施形態の滑り止め防止の部材装着する面ファスナーを示す略図
【図６】第二の実施形態の滑り止め部材を装着する面ファスナーを示す
【図７】第三の実施形態の滑り止め防止部材を設けた靴を示す（Ａ）底面図  （Ｂ）平面図
【考案を実施する為の形態】
靴本体としての紳士靴、婦人靴、子供靴等、履物すべて靴底にヘチマを滑り止めとして使用し雪道や凍結した路上で滑って事故や怪我などを防止する靴底が、材料がヘチマなのでクッションにもなり足の関節痛や筋肉痛の防止となる
【実施例】図１  男子用皮靴の裏面を示している図１の中の１つはかかとの部分の裏側を示したもの、かかとの部分に本考案の滑り止めを設定した状態を示す、かかと以外にもつま先部分や土ふまず部分にも同様に滑り止めを設定してある
男子靴の滑り止めのつま先寸法は  横長さ１０ｃｍ〜１１ｃｍ  幅２．５ｃｍかかとの長さ９ｃｍ幅８．５ｃｍとすることが出来る
図２  男子靴の側面から靴の本体滑り止めの位置６の紐で足首に固定され滑り止めが、外れない様に防止した状態を示している
図３  ２に示すように婦人靴も同図６の男子靴とＡ，Ｂ面ファスナー自在と固定する事が出来る
図４  ２に示す様に婦人靴底に滑り止めを上側で面ファスナーで止める図３と紐で足首に巻きつけて止める事が出来る
図５  Ａに示す様に面ファスナーの靴の表側に取り付ける事が出来る
Ｂに示す様に面ファスナーの靴底に滑り止めとして取り付ける事ができる
図６  ２に示す様に図５、Ａ、Ｂ同じでする事が出来る
図７  ２に示す様に冬のスノーシューズの靴で男子、女子、子供用靴底全体にヘチマを滑り止めとして装着する事もできる
この滑り止め防止部材はヘチマ繊維を粉砕して粒状加工してこれを麻等の丈夫な布に接着剤等で貼り付けた上で適所に面ファスナーを設けて形成する事ができる
【符号の説明】図１    １、かかとの部分
２、土ふまず部分
３、路面接触部分
図２    ４、面ファスナー
５、面ファスナー
６、かかと部分を固定する紐
７、かかと部分の滑り止め
８、路面接触部分
図３    ９、婦人用ハイヒール
図４  １０、本体
図５  １１、面ファスナー  Ａ
１２、面ファスナー  Ｂ
図６  １３、面ファスナー  Ａ
１４、面ファスナー  Ｂ
図７  １５、トレナー靴底（ａ）
１６、本体  （ｂ）
【図１】
0003198082.tif 000003
【図２】
0003198082.tif 000004
【図３】
0003198082.tif 000005
【図４】
0003198082.tif 000006
【図５】
0003198082.tif 000007
【図６】
0003198082.tif 000008
【図７】
0003198082.tif 000009
【手続補正書】
【提出日】平成27年3月18日(2015.3.18)
【手続補正１】
【補正対象書類名】実用新案登録請求の範囲
【補正対象項目名】全文
【補正方法】変更
【補正の内容】
【実用新案登録請求の範囲】
【請求項１】
紳士靴、婦人靴、子供靴、スノーシューズの履物から選択される靴本体の靴底に当接する様に所定の位置に面ファスナー及び／又はベルト状の紐により着脱可能に装着する滑り止めシートであって、該シートはスポンジ状に加工したヘチマをシート状に形成した事を特徴とするヘチマシート。
(57)【要約】      （修正有）【課題】従来一人では背中腰などにお灸をする事は不可能であったが、固定しにくい頭部でも、筒お灸具を装着して頭に数多く存在するツボに簡単且つ安全に長時間お灸が出来るようにした筒お灸具を提供する。【解決手段】筒の下部に耐熱ネットを取り付けるとともに、筒の上部に通気孔を有する耐熱ネットを設けた筒お灸具９を、竹かご５の底部に設けたパンチングメタルシート６に固定し、さらに竹かご５を人間の頭に固定するための固定具１２を有することを特徴とする。【選択図】図３
0003198088.tif 000002
【実用新案登録請求の範囲】
【請求項１】
筒（３）の下部に耐熱ネット（４）を取り付けるとともに、前記筒（３）の上部に通気孔を有する耐熱ネット（１）を設けた筒お灸具（９）を、少なくとも頂部の一部に通気部を有する頭部装着具の前記通気部と前期筒の下部を固定し、さらに前記竹かご（５）を人間の頭（１３）に固定するための固定具（１２）を有することを特徴とする頭部用筒お灸具。
【考案の詳細な説明】
【考案の概要】
【技術分野】
【０００１】  本考案は頭部にお灸をするための頭部用お灸具に関する。
【背景技術】
【０００２】  従来の頭に装着するお灸具（ほうろく灸）は小さいモグサを陶器の皿の上に載せ点火して使用するものであった。
【考案が解決しようとする課題】
【０００３】  しかし、従来のほうろく灸は熱が陶器を伝わって頭部に伝わるもののモグサの成分が陶器の皿を通ることができないといった欠点があった。
【課題を解決するための手段】
【０００４】  上記目的を解決する為の手段として、本考案の頭部用筒お灸具は筒（３）の下部に耐熱ネット（４）を取り付けるとともに、前記筒（３）の上部に通気孔を有する耐熱ネット（１）を設けた筒お灸具（９）を、少なくとも頂部の一部に通気部を有する頭部装着具の前記通気部と前期筒の下部を固定し、さらに前記竹かご（５）を人間の頭（１３）に固定するための固定具（１２）を有することを特徴とする頭部用筒お灸具である。
【考案の効果】
【０００５】  本考案の筒お灸具は頭部に装着する竹かごに耐熱ネット部を設け、さらにその上に筒を設けたため頭髪、頭皮を傷つけずにお灸ができお灸の跡が残らないなど効果的である。
【図面の簡単な説明】
【０００６】
【図１】頭部装着式筒お灸具の斜視図
【図２】頭部装着式筒お灸具の断面図
【図３】頭部装着式筒お灸具の全体図
【図４】頭部装着式筒お灸具を頭に装着したイメージ図
【考案を実施するための形態】
【０００７】  竹炭筒お灸具（９）の筒（３）の底部に竹炭（８）を敷き詰める。その上にモグサ（７）を３分の２程度入れ、ライターまたはマッチにてモグサ（７）に点火、その後耐熱ネット（１）を閉じる。その後竹炭筒お灸具（９）を頭（３）に装着、あごひも（１１）を掛け、固定具（１２）で頭（１３）の大きさに合うよう長さを調節して使用する。
直径３センチ位の穴（１０）から出る熱が、約２０センチ四方に広がり、肌が温まり効果がある。従来のお灸は、小さいモグサを数回繰り返し行うものであるが、本考案の筒お灸具は筒（３）に一度モグサを詰めれば、約３０分から約１時間は保温するので手間が省けて楽であるし筒（３）を横にしても、耐熱ネット（１）を張り付けているので、火又は炭がこぼれないようにしている。耐熱ネット（４）と肌の空間があるので、お灸の痕が残らないように工夫されている。
筒としては例えば樹脂製、金属製、木製のものが使用できるが、時に竹筒が耐久性に優れ、変形せず、繰り返しの使用に耐え得る、といった点で望ましい。
また、中に入れるお灸についてはモグサの使用が望ましいが、乾燥した琵琶の葉も代用できる。
耐熱ネット（１）・（４）はアルミニウム、ステンレスなど熱がかかることによって変形や溶融しない素材を用いる。
【符号の説明】
【０００８】１．  耐熱ネット
２．  ネジ
３．  筒
４．  耐熱ネット
５．  竹かご
６．  パンチングメタルシート
７．  モグサ
８．  竹炭
９．  筒お灸具
１０．穴
１１．あごひも
１２．固定具
１３．頭
【図１】
0003198088.tif 000003
【図２】
0003198088.tif 000004
【図３】
0003198088.tif 000005
【図４】
0003198088.tif 000006
【手続補正書】
【提出日】平成27年3月24日(2015.3.24)
【手続補正１】
【補正対象書類名】実用新案登録請求の範囲
【補正対象項目名】全文
【補正方法】変更
【補正の内容】
【実用新案登録請求の範囲】
【請求項１】
筒（３）の下部に耐熱ネット（４）を取り付けるとともに、前記筒（３）の上部に通気孔を有する耐熱ネット（１）を設けた筒お灸具（９）を、竹かご（５）の底部に設けたパンチングメタルシート（６）に固定し、さらに前記竹かご（５）を人間の頭（１３）に固定するための固定具（１２）を有することを特徴とする頭部用筒お灸具。
【手続補正２】
【補正対象書類名】明細書
【補正対象項目名】０００４
【補正方法】変更
【補正の内容】
【０００４】  上記目的を解決する為の手段として、本考案の頭部用筒お灸具は筒（３）の下部に耐熱ネット（４）を取り付けるとともに、前記筒（３）の上部に通気孔を有する耐熱ネット（１）を設けた筒お灸具（９）を、竹かご（５）の底部に設けたパンチングメタルシート（６）に固定し、さらに前記竹かご（５）を人間の頭（１３）に固定するための固定具（１２）を有することを特徴とする頭部用筒お灸具である。
(57)【要約】      （修正有）【課題】畝立て作業や耕耘作業に使用するデスク爪及び耕耘爪において、交換時期を示す視認し易いリブを持つ爪を提供する。【解決手段】使用を続けて摩耗が進み、交換が必要となった爪１の摩耗部分の摩耗後のラインに沿う位置に、爪の両面から視認できる略円弧形状のリブ７を形成する。耕耘作業中の土が付着した状態であっても容易に摩耗状態が確認でき、適切な時期に交換を行うことができて、機械の燃料費や作業時間の浪費を防ぐことができる。【選択図】図１
0003198032.tif 000002
【実用新案登録請求の範囲】
【請求項１】
爪１の交換の目安となる摩耗後のライン５に沿う位置に、両面から視認できるリブを設けたデスク爪又は耕耘爪。
【考案の詳細な説明】
【技術分野】
【０００１】
本考案は、畝立て作業や耕耘作業に使用するデスク爪及び耕耘爪に関するものである。
【背景技術】
【０００２】
畝立て作業や耕耘作業に使用する爪は長期使用により摩耗が進み、ある程度まで摩耗が進行すると土塊を飛散させる能力や反転させる能力が著しく低下するため、適切な時期に交換する必要があるが、一般的に普及している爪は交換時期を示す目安になるものが無く、適切な交換時期を過ぎて能力が低下した状態で使用してしまうことで、機械の燃料費や作業時間の浪費を招くことがあった。
【０００３】
交換時期を表示する従来技術として、実開昭５３−５４０１号広報のように爪の側面に溝又は突起の表示をするものや、実開昭５７−１１９６０２号広報のように爪先端部に切り込み形状を施したものがある。
【０００４】
実開昭５３−５４０１号広報の技術では、表示部が微細な溝あるいは突起であり、耕耘作業中の土が付着した状態では視認性が悪くなるため、交換時期になっている摩耗状態を見落としてしまう可能性があった。
【０００５】
実開昭５７−１１９６０２号広報の技術では、表示部が爪の先端の端面に施された切り込み形状であり、実開昭５３−５４０１号広報の技術と同じく視認性が悪い問題があった。
【先行技術文献】
【非特許文献】
【０００６】
【非特許文献１】実開昭５３−５４０１号広報
【０００７】
【非特許文献２】実開昭５７−１１９６０２号広報
【考案の概要】
【考案が解決しようとする課題】
【０００８】
従来技術の何れにおいても、交換時期の表示の視認性を良くすることが課題であった。
【課題を解決するための手段】
【０００９】
本考案は、摩耗が進み交換が必要となった爪１の摩耗後のライン５に沿う位置に、爪１の両面から視認できるリブ７を形成していることを特徴とする。
【考案の効果】
【００１０】
本考案のデスク爪及び耕耘爪によれば、摩耗が進んだときに交換の目安となる位置に爪１の両面から視認できるリブ７が形成されているため、耕耘作業中の土が付着した状態であっても容易に摩耗状態が確認でき、このリブ７まで摩耗が進んだ時に爪１を交換すればよいので、適切な時期に交換を行うことができて、機械の燃料費や作業時間の浪費を防ぐことができる。
【図面の簡単な説明】
【００１１】
【図１】図１は本考案のデスク爪を示した説明図である。
【図２】図２は本考案の耕耘爪を示した説明図である。
【図３】図３はデスク爪の摩耗の進む様子を示した説明図である。
【図４】図４は耕耘爪の摩耗の進む様子を示した説明図である。
【図５】図５はリブ形状の他の実施形態を示した説明図である。
【図６】図６はリブ断面形状の他の実施形態を示した説明図である。
【考案を実施するための形態】
【００１２】
本考案は、爪１の交換の目安となる摩耗後のライン５に沿う位置に、断面形状３に示すように両面から視認できる略円弧形状のリブ７を形成したので、土が付着した状態であっても容易に摩耗状態が確認でき、摩耗がリブ７まで達したところで適切な時期に爪１の交換ができる。
【実施例】
【００１３】
図１及び図２に本考案の実施例を示す。
【００１４】
爪１の摩耗は概ね図３及び図４に示すように（Ａ）（Ｂ）（Ｃ）の順で進行する。
【００１５】
摩耗が進んで交換が必要となった爪１の摩耗後のライン５は、図３及び図４の（Ｃ）に示すように概ね円弧形状になり、リブ７はこの摩耗後のライン５の円弧形状に沿う形で細長く設ける。
【００１６】
リブ７の断面形状は断面形状３で示すように略円弧形状をしており、爪１の正面図から見る表側からも裏側からも視認できるよう形成されている。
【００１７】
以上のように構成したので、爪１の摩耗状態を容易に視認する事ができ、摩耗がリブ７まで達したところで適切な時期に爪１の交換ができるため、機械の燃料費や作業時間の浪費を防ぐことができる。
【００１８】
リブ７の長さは図１及び図２では摩耗後のライン５のほぼ全長に亘っているが、図５の（Ａ）（Ｂ）に示すように短くてもよく、同じく図５の（Ｃ）（Ｄ）に示すように２箇所以上の複数に分かれていても良い。
【００１９】
リブ７の断面形状は断面形状３で示すように略円弧形状をしているが、両面から視認できるものであれば図６の（Ａ）に示すような略コの字型でも良く、図６の（Ｂ）に示すような略Ｖ字形状でも良いし、またこれらを複合させた形状でも良い。
【符号の説明】
【００２０】
１    爪
２    爪の側面図
３    断面形状
４    リブが無い部分の断面形状
５    摩耗後のライン
６    摩耗部分
７    リブ
【図１】
0003198032.tif 000003
【図２】
0003198032.tif 000004
【図３】
0003198032.tif 000005
【図４】
0003198032.tif 000006
【図５】
0003198032.tif 000007
【図６】
0003198032.tif 000008
(57)【要約】      （修正有）【課題】どこでも簡単に浮腫みを取り、筋肉を活性化させ、引き締めるためのマッサージを施すことができるマッサージ器具を提供する。【解決手段】マッサージオイルやマッサージクリームが付着しても変化しない弾性を有するシリコンゴムで形成され下腿部ふくらはぎに密着する程度の凹みｂとその両端を手で握って持ちやすいような窪みｃを設けていることを特徴とする。【選択図】図１
0003198092.tif 000002
【実用新案登録請求の範囲】
【請求項１】
マッサージオイルやマッサージクリームが付着しても、変化しない弾性を有する素材で形成されたことを特徴とするマッサージ器具
【請求項２】
前記マッサージ器具に置いて、下腿部ふくらはぎに密着する程度の凹みを設けたことを特徴とするマッサージ器具
【請求項３】
前記マッサージ器具に置いて、凹みを設けた両端に持ちやすいように窪みを設けたことを特徴とするマッサージ器具
【考案の詳細な説明】
【技術分野】
【０００１】本考案は、マッサージ器具に関するもので、特に大腿部や下腿部に溜まった浮腫みや血液循環不良を解消するように働きかけることで、各部の疲れを緩和させ、筋肉を引き締めスリムにすることを補助するマッサージ器具である。【０００２】また、下肢だけでなく上肢とくに二の腕部分のマッサージ効果も期待できる器具である。
【背景技術】
【０００３】ヒトは二足歩行をする以上、血液や、リンパを含む体液が下肢に滞積しやすい。【０００４】下肢に溜まった体液を正常に心臓に押し戻すためには適度な運動による筋肉のポンプアップ作用が有効であることは知られているが、近年ディスクワークの増加や、各種移動手段の充実等による運動不足でポンプアップ作業が十分に行われにくくなり、下肢の浮腫みに悩む人が多くなっている。【０００５】浮腫みが続いた状態は、筋肉を硬くし血液循環が悪くなり冷えを増長させる。【０００６】それにより、脂肪も燃焼しにくくなり、皮下脂肪もたまりやすくなり足が太くなるといった悪循環となることが知られている。
【考案の開示】
【考案が解決しようとする課題】
【０００７】［０００２］［０００３］［０００４］［０００５］で述べた状況を解消するためには、フットマッサージなどを含むマッサージやエステ店に行くという手段があるが、１度施術を受けても１回では根本的な問題は解決されることは難しく、何度も通い時間や費用を費やさなければならない。【０００８】一方、自宅で行えるように開発されたマッサージ機器では、座った状態で使用する椅子タイプ（特開２００５−０８７３４８）のものや、脚部に巻き付ける、もしくはブーツのように履いて使用するもの（特開２００３−０７９６８８）が知られているが、どれも電源等が必要なうえ、使用するための場所や装着時の手間などがかかってしまい簡単に使用することが難しい。【０００９】その他、簡単なマッサージ器具では、ローラー式でツボを刺激しながらマッサージ効果を得ることが出来る用具（登録実用新案第３１６６２０２号）があるが、肌に接触する部分が特定の場所しかない為、ふくらはぎ全体のマッサージ効果を得ることは困難である。【００１０】本考案は上記の事情を考え、どこでも簡単に浮腫みを取り、筋肉を活性化させ、引き締めるためのマッサージを施すことができるマッサージ器具を提供することを目的とする。【００１１】上記目的を達成するために、本考案のマッサージ器具は全体的な形状は板状とし、その一辺が下腿部裏側のふくらはぎに密着する程度の大きさの凹みを有することを特徴とする。【００１２】特にその凹み部分は、皮膚への刺激を軽減するため両角を丸くしていることを特徴とする。【００１３】素材は、マッサージオイルや石鹸が付着しても変化、変形せず、かつ人体、環境に悪影響を及ぼさず適度な弾性を有するシリコンゴムが最も望ましい。【００１４】しかし、適度な弾性を有する素材であればほかの素材を用いても良い。【００１５】さらに、上記の凹みと相対する一辺に、緩やかな凹みを設けることで、下腿部分以外でも大腿部や上腕部など全身へ適切なマッサージを簡単にすることができることを特徴とする。【００１６】また、このましくは凹みをもった板状の両端に握りやすく窪みを設ける。
【考案の効果】
【００１７】本考案にかかるマッサージ器具を用いて体の各部の広い部分に密着させたままマッサージを施すことで、その個所にたまった血液の循環を促進させる効果が期待できる。【００１８】同時に、皮下組織に停滞しがちなリンパ液を押し流す効果が得られるので、突起物を用いた刺激や、もみほぐすことを目的としたマッサージ器機よりも効率的に体液循環を促進し、浮腫みを簡単に解消することが期待できる。【００１９】また、簡単に浮腫みを緩和するとともに体液循環を促進し、筋肉を引き締める効果を得ることが期待できる。【００２０】本考案は片手でも持つことが出来るほど小さく、軽いため二の腕でも使用することが出来、下肢同様の効果を上肢でも期待することが出来る。
【考案を実施するための最良の形態】
【００２１】以下、本考案の実施形態を図面を参照して説明する。【００２２】図１は本考案にかかるマッサージ器具の、実施形態の外観構成を示した図である。【００２３】図１−ｂの凹み部分は、下腿部ふくらはぎの丸みに合わせた凹みであり、図１−ｃは指２本程度を引っ掛けることができる窪みである。【００２４】図２は本考案の凹み部分の断面図であり、肌に触れた際に不快感が無いように両端はｄのような丸みのある形状とする。
【実施例】
【００２５】窪みに指２本を引っ掛け、図３のように持つ。【００２６】図４のように、本考案によるマッサージ器具の図１−ｂの部分をふくらはぎにあて、足首に近い場所から膝下にかけて、ふくらはぎを持ちあげるようにしながらマッサージを施す。【００２７】このとき、マッサージオイルや石鹸を泡立てた泡などを用いることで、皮膚との摩擦を軽減しスムーズにマッサージを施すことが出来る。【００２８】ふくらはぎだけでなく、大腿部や二の腕などにも図４のように下から上の方向でマッサージを施す。
【図面の簡単な説明】
【００２９】
【図１】本考案にかかるマッサージ器具の外観構成を示した図である。
【図２】は本考案にかかるマッサージ器具断面図である。
【図３】は本考案もマッサージ器具を用いる際の持ち方の図である。
【図４】は、本考案のマッサージ器具の実施例の図である。
【符号の説明】
【００３０】  図１−ａ  本体
図１−ｂ  凹み部分
図１−ｃ  窪み部分
図２−ｄ  丸みのある形状部分
【図１】
0003198092.tif 000003
【図２】
0003198092.tif 000004
【図３】
0003198092.tif 000005
【図４】
0003198092.tif 000006
【手続補正書】
【提出日】平成27年3月19日(2015.3.19)
【手続補正１】
【補正対象書類名】実用新案登録請求の範囲
【補正対象項目名】全文
【補正方法】変更
【補正の内容】
【実用新案登録請求の範囲】
【請求項１】
マッサージオイルやマッサージクリームが付着しても変化しない弾性を有するシリコンゴムで形成され下退部ふくらはぎに密着する程度の凹みとその両端を手で握って持ちやすいような窪みを設けていることを特徴としたマッサージ器具
(57)【要約】      （修正有）【課題】電線管、継手及びダクトにケーブルを挿通しても、これらケーブルから放出された熱を大気中に効率良く放熱し、これによって電線管、継手及びダクトの口径を減少させることができる電線管、電線管の継手又はダクトを提供する。【解決手段】内部にケーブルが挿通される電線管１、電線管１の継手２，３またはダクトであって、内部に挿通されたケーブルから発生した熱を外部に放熱する放熱孔４を設ける。【選択図】図１
0003198099.tif 000002
【実用新案登録請求の範囲】
【請求項１】
内部に挿通されたケーブルから発生した熱を、外部に放熱する放熱孔を設けたことを特徴とする電線管、継手及びダクト。
【考案の詳細な説明】
【技術分野】
【０００１】本発明は、電気配管工事などで使用されるケーブルを保護する電線管、この電線管を接続する継手及びダクトに係り、特にケーブルが発する熱を外部に効率的に放出する電線管、継手及びダクトに関する。
【考案の概要】
【考案が解決しようとする課題】
【０００２】従来の電線管、継手及びダクトにおいては、次に述べるような課題があった。
まず電線管、継手及びダクトの外形断面に対し、４割程度のケーブルしか通線することができないことから、ケーブルの占有率が低く、大口径の電線管、継手及びダクトを使用しなければならず、極めて不経済であるという問題があった。
【課題を解決するための手段】
【０００３】そこでこのような問題を解決するために、本発明は電線管、継手及びダクトの内部に挿通されたケーブルが発する熱を、外部に効率良く放出する放熱孔を設けたことを特徴としている。
【考案の効果】
【０００４】以上説明したように本発明によれば、課題があった電線管、継手及びダクトでは、内部に挿通されたケーブルが発する熱を、外部に効率良く放出することができ、これによって電線管、継手及びダクトの口径を減少させることができる。
【図面の簡単な説明】
【０００５】
【図１】本発明による電線管、継手の実施の形態を示す斜視図である。
【図２】本発明によるダクトの実施の形態を示す斜視図である
【考案を実施するための形態】
【０００６】図１、図２は本発明による電線管継手及びダクトの実施の形態を示す斜視図である。この図面に示す１電線管、２、３継手、５ダクト、６ダクトカバー、は複数の４放熱孔が形成され、内部に挿通されたケーブルが発する熱を４放熱孔より大気中に効率良く放出できる。
【符号の説明】
【０００７】Ｉ  電線管
２  カップリング継手、
３  ノーマル継手
４  放熱孔
５  ダクト、
６  ダクトカバー
【図１】
0003198099.tif 000003
0003198099.tif 000004
【図２】
0003198099.tif 000005
【手続補正書】
【提出日】平成27年3月19日(2015.3.19)
【手続補正１】
【補正対象書類名】実用新案登録請求の範囲
【補正対象項目名】全文
【補正方法】変更
【補正の内容】
【実用新案登録請求の範囲】
【請求項１】
内部にケーブルが挿通される電線管、電線管の継手またはダクトであって、内部に挿通されたケーブルから発生した熱を外部に放熱する放熱孔を設けたことを特徴とする電線管、電線管の継手又はダクト。
【手続補正２】
【補正対象書類名】図面
【補正対象項目名】全図
【補正方法】変更
【補正の内容】
【図１】
0003198099.tif 000006
【手続補正３】
【補正対象書類名】明細書
【補正対象項目名】０００５
【補正方法】変更
【補正の内容】
【０００５】
【図１】本発明による電線管、電線管の継手及びダクト、ダクトカバーの実施の形態を示す斜視図である。
(57)【要約】      （修正有）【課題】うつわの保温を目的とし多目的な用途に使用できる陶磁器のうつわを提供する。【解決手段】内側本体と外側本体とを有する二重底の陶磁器のうつわであって、当該内側本体の裏面に断熱材を貼り付け当該内側本体と当該外側本体を接合し一体化した二重底の陶磁器のうつわ。【選択図】図３
0003198098.tif 000002
【実用新案登録請求の範囲】
【請求項１】
二重底内側の裏面に断熱材を貼り付け本体外側と泥土等により接合し一体化した陶磁器のうつわである。
該一体化した二重底うつわは内側本体と外側本体を接合一体化することにより空間が生じ、空気を封じ込めた焼成することにより一段と断熱・保冷効果がある陶磁器のうつわである。
【考案の詳細な説明】
【技術分野】
【０００１】本考案は、陶磁器の保温を目的とした陶磁器のうつわに関するものである。
【背景技術】
【０００２】古来より二重底にて保温効果うつわの製造方法には広く知られている。
【考案の概要】
【考案が解決しようとする課題】
【０００３】従来の二重底のうつわは保温効果が少なく、二重底の利点も少ないです。
【課題を解決するための手段】
【０００４】本考案は、内側と外側の二重構造の陶器で、該内側の陶器の裏面に製型と同時に断熱材を泥土等で接合し、陶磁器内側と一体化することにより保温効果が増大するものである。
【実施例】
【０００５】図１に示すように、うつわ本体１部分と図２の本体外側３部分を作成し、図１本体内側１部分の裏面に断熱材２を泥土等で接合し一体化する。【０００６】一体化されたうつわ内側本体１の内側接合部分４と作成したうつわ外側本体３の外側接合部分５を泥土等により接合し、完成となる【０００７】図３の様に出来上がった製品の空気を封印したまま、断熱材と共に焼成し、完全商品になる。【０００８】上記工程により完成した考案のうつわは、お湯を入れても氷を入れても保温効果が良く、陶器のうつわとして新しい分野に陶器が進化していけることと思われます。
【考案の効果】
【０００９】本考案に係る陶磁器のうつわは、保温効果が良く熱湯または氷等に使用しても本体の外側に熱が伝わりにくいため、容易に持つことができ、従来にない進化した陶磁器のうつわである。
【図面の簡単な説明】
【００１０】
【図１】本考案に係るうつわの内側の正面断面図である。
【図２】本考案に係るうつわの外側の正面断面図である。
【図３】本考案に係るうつわの全体図の正面断面図である。
【符号の説明】
【００１１】１  うつわ内側内面本体
２  うつわ内側断熱材
３  うつわ外側本体
４  うつわ内側の接合部分
５  うつわ外側の接合部分
【図１】
0003198098.tif 000003
【図２】
0003198098.tif 000004
【図３】
0003198098.tif 000005
【手続補正書】
【提出日】平成27年3月26日(2015.3.26)
【手続補正１】
【補正対象書類名】実用新案登録請求の範囲
【補正対象項目名】全文
【補正方法】変更
【補正の内容】
【実用新案登録請求の範囲】
【請求項１】
内側本体と外側本体とを有する二重底の陶磁器のうつわであって、当該内側本体の裏面に断熱材を貼り付け当該内側本体と当該外側本体を接合し一体化した二重底の陶磁器のうつわ。
(57)【要約】【課題】容易に充電ができ、且つ、装着時に違和感を覚えることがない充電式の発光靴を提供することを課題とする。【解決手段】充電可能なバッテリー６を含む発光回路５と、バッテリー６を電源とする発光体３と、バッテリー電源の入切を行うスイッチ４とを備えた靴であって、発光回路５と発光体３は靴底２に内蔵され、発光回路５からアッパー部１２の内側を通って伸びるバッテリー充電用コード７端のソケット８は、アッパー部１２から内方向に露出するように設置され、発光回路５からアッパー部の内側を通って伸びるスイッチ用コード端のスイッチ４は、アッパー部１２の内部に設置される。【選択図】図１
0003198024.tif 000002
【実用新案登録請求の範囲】
【請求項１】
充電可能なバッテリーを含む発光回路と、前記バッテリーを電源とする発光体と、前記バッテリー電源の入切を行うスイッチとを備えた靴であって、前記発光回路と前記発光体は靴底に内蔵され、前記発光回路からアッパー部の内側を通って伸びるバッテリー充電用コード端のソケットは、アッパー部から内方向に露出するように設置され、前記発光回路からアッパー部の内側を通って伸びるスイッチ用コード端の前記スイッチは、アッパー部内部に設置されることを特徴とする充電式発光靴。
【請求項２】
前記発光靴は靴紐タイプの靴であり、前記ソケットは、前記アッパー部の上端部の靴紐挿通孔間に配置される、請求項１に記載の充電式発光靴。
【請求項３】
前記発光体は発光ダイオード列で、前記スイッチが押されるごとに変色する、請求項１又は２に記載の充電式発光靴。
【考案の詳細な説明】
【技術分野】
【０００１】
本考案は充電式発光靴、より詳細には、靴底部に、家庭電源等からの充電が可能な発光体を備えた充電式発光靴に関するものである。
【背景技術】
【０００２】
発光機能が備わった充電式の履物は種々提案されている。例えば、特開平０６−２０９８０７号公報や特開２００１−２０４５０７号公報に記載の充電式発光靴は、靴底に内蔵された圧電素子等により充電するものであるが、比較的コスト高となるだけでなく、圧電素子等が靴自体の動きを感知しないと充電することができないため、安定的充電が望めないという問題がある。
【先行技術文献】
【特許文献】
【０００３】
【特許文献１】特開平０６−２０９８０７号公報
【特許文献２】特開２００１−２０４５０７号公報
【考案の概要】
【考案が解決しようとする課題】
【０００４】
本考案は、上記従来提案されている発光体を備えた靴における問題点を解決するためになされたもので、容易且つ安定的に充電することができ、且つ、装着時に違和感を覚えることがない充電式発光靴を提供することを課題とする。
【課題を解決するための手段】
【０００５】
上記課題を解決するための請求項１に記載の考案は、充電可能なバッテリーを含む発光回路と、前記バッテリーを電源とする発光体と、前記バッテリー電源の入切を行うスイッチとを備えた靴であって、前記発光回路と前記発光体は靴底に内蔵され、前記発光回路からアッパー部の内側を通って伸びるバッテリー充電用コード端のソケットは、アッパー部から内方向に露出するように設置され、前記発光回路からアッパー部の内側を通って伸びるスイッチ用コード端の前記スイッチは、アッパー部内部に設置されることを特徴とする充電式発光靴である。
【０００６】
一実施形態においては、前記発光靴は靴紐タイプの靴であり、前記ソケットは、前記アッパー部の上端部の靴紐挿通孔間に配置され、また、前記発光体は発光ダイオード列で、前記スイッチが押されるごとに変色する。
【考案の効果】
【０００７】
本考案は上記のとおりであって、容易且つ安定的に充電することができるという効果があり、特に請求項２に記載の考案の場合は、装着時に違和感を覚えることがないという効果がある。
【図面の簡単な説明】
【０００８】
【図１】本考案に係る充電式発光靴の側面図である。
【図２】本考案に係る充電式発光靴のソケット部分を示す斜視図である。
【考案を実施するための形態】
【０００９】
本考案を実施するための形態について、添付図面に依拠して説明する。本考案に係る充電式発光靴は、図示したような、甲部を靴紐１１で緊締する、靴紐タイプの靴に適用するのに好適である。靴本体１の色は任意であるが、靴底部２は透光性素材とし、靴底部２の外周部に沿って内包される発光体３を発光させることで、靴底部２が発色しているように見せることが可能となる。
【００１０】
発光体３は多色に発色可能な発光ダイオードであることが好ましく、靴底部２内に組み込まれる発光回路５に接続される。発光回路５は、発光体３の電源となる充電可能なバッテリー６を含み、発光回路５からアッパー部１２の内側を通って伸びるバッテリー充電用コード７の端部のソケット８は、アッパー部１２から内方に露出するように設置される（図２参照）。
【００１１】
靴紐タイプの靴の場合ソケット８は、アッパー部１２の上端部の靴紐挿通孔１３間に配置される。それは、その部分に狭いながら空間部ができるからであり、ソケット８をその部分に収めることで、足の甲に対する違和感を極力少なくすることが可能となるからである。ソケット８には、例えば、パソコン１５や家庭用電源等から延びる充電用ケーブル先端のプラグ１４が差し込まれる。
【００１２】
バッテリー６からアッパー部１２の内側を通って伸びるスイッチ用コード９先端のスイッチ４は、アッパー部１２の内部に設置され、アッパー部１２の内皮越しに押すことにより動作する。例えば、発光回路５は、スイッチ４を押すごとに、発光、変色、点滅、消灯となるような回路構成とすることができる。発光体３の発光色は、赤色、緑色、青色、黄緑色、水色、紫色、薄青色等が代表色であるが、これらに限られる訳ではない。
【００１３】
上記構成の本考案に係る充電式発光靴の場合、適時バッテリー６の充電を行った後、一般の靴と同様にして装着する。そして、発光体３を発光させたい場合は、スイッチ４を押し、所望の状態で発光させる。その発光状態は、スイッチ４の押圧操作で適宜変化させることができる。
【００１４】
この考案をある程度詳細にその最も好ましい実施形態について説明してきたが、この考案の精神と範囲に反することなしに広範に異なる実施形態を構成することができることは明白である。従って、この考案は添付請求の範囲において限定した以外はその特定の実施形態に制約されるものではない。
【符号の説明】
【００１５】
１    靴本体
２    靴底
３    発光体
４    スイッチ
５    発光回路
６    バッテリー
７    バッテリー充電用コード
８    ソケット
９    スイッチ用コード
１１    靴紐
１２    アッパー部
１３    靴紐貫通孔
１４    プラグ
１５    パソコン
【図１】
0003198024.tif 000003
【図２】
0003198024.tif 000004